(57)【要約】【課題】本発明は、ケーブルが整理されたシャーシを提供することを目的とする。【解決手段】本発明のシャーシは、底板と、底板に設置された隔離板と、底板に対してスライドする支持部材と、底板にスライド可能に接続されたスライド部材と、それぞれスライド部材の両端に回転可能に接続され、且つケーブルを収容する第一リンク機構組及び第二リンク機構組と、を備える。第一リンク機構組のスライド部材から離隔している一端は、回転可能に支持部材と接続し、第二リンク機構組のスライド部材から離隔している一端は、回転可能に隔離板と接続する。【選択図】図６
2014154879.tif 000002
【特許請求の範囲】
【請求項１】
シャーシにおいて、
前記シャーシは、底板と、前記底板に設置された隔離板と、前記底板に対してスライドする支持部材と、前記底板にスライド可能に接続されたスライド部材と、それぞれ前記スライド部材の両端に回転可能に接続され、且つケーブルを収容する第一リンク機構組及び第二リンク機構組と、を備え、
前記第一リンク機構組の前記スライド部材から離隔している一端は、回転可能に前記支持部材と接続し、
前記第二リンク機構組の前記スライド部材から離隔している一端は、回転可能に前記隔離板と接続することを特徴とするシャーシ。
【請求項２】
前記第一リンク機構組は、第一リンク機構及び第二リンク機構を備え、
前記第二リンク機構組は、第三リンク機構及び第四リンク機構を備え、
前記第一リンク機構の第一端は、回転可能に前記支持部材と接続され、
第二リンク機構の第一端は、回転可能に前記第一リンク機構の第二端と接続され、
第二リンク機構の第二端は、回転可能に前記スライド部材と接続され、
前記第四リンク機構の第一端は、回転可能に前記隔離板と接続され、
前記第四リンク機構の第二端は、回転可能に前記第三リンク機構の第一端と接続し、
前記第三リンク機構の第二端は、回転可能に前記スライド部材と接続されることを特徴とする請求項１に記載のシャーシ。
【請求項３】
前記スライド部材の両端には、それぞれ前記スライド部材の中央部から徐々に低くなっている斜面が設けられ、
前記第一リンク機構及び第二リンク機構が開かれた際、前記第二ニリンク機構は回転して、前記第二リンク機構と隣接する前記斜面と接触し、前記第三リンク機構は回転して、前記第三リンク機構と隣接する前記斜面と接触することを特徴とする請求項２に記載のシャーシ。
【請求項４】
前記スライド部材には、１つ開溝が設けられ、前記開溝の底壁の両端からそれぞれ突起が突出されており、
前記２つの斜面は、それぞれ２つの突起に形成されることを特徴とする請求項３に記載のシャーシ。
【請求項５】
前記第一リンク機構、前記第二リンク機構、前記第三リンク機構及び前記第四リンク機構は、それぞれ対向する２つの棒体を備えることを特徴とする請求項２に記載のシャーシ。
【請求項６】
前記各棒体は、第一棒部と、前記第一棒部から対向する前記棒体に向けて延在された曲がり部と、前記曲り部の末端から前記第一棒部から離隔している方向に沿って延在された第二棒部と、を備え、
前記第一リンク機構の２つの第一棒部は、回転可能に前記支持部材に接続され、
前記第一棒部の２つの第二棒部は、それぞれ回転可能に前記第二棒体の２つの第一棒部に接続され、
前記第二リンク機構の第二棒部及び前記第三リンク機構の２つの第二棒部が、それぞれ回転可能に前記スライド部材に接続され、
前記第三リンク機構の２つの第一棒部は、それぞれ前記第四リンク機構の２つの第二棒部と接続され、
前記第四リンク機構の２つの第一棒部は、回転可能に前記隔離板と接続されることを特徴とする請求項５に記載のシャーシ。
【請求項７】
各対向する２つの棒体の第一側同士の間には、複数の止め板が接続されており、
１つの棒体の前記第一側と対向する第二側には、別の前記棒部に向けて垂直に延在された複数のクリップが設けられており、
前記ケーブルが、前記止め板と前記クリップとの間に固定されることを特徴とする請求項５に記載のシャーシ。
【請求項８】
前記底板には、導向板が設けられ、
前記導向板は、前記底板と一定の間隙があけらているスライド壁を備え、
前記スライド壁には、スライド溝が設けられ、
前記スライド部材は、主体と、前記スライド部材と前記底板との間をスライドするスライド板と、前記主体と前記スライド板とを接続し、且つ前記スライド溝に沿ってスライドする連続部とを備えることを特徴とする請求項５に記載のシャーシ。
【請求項９】
前記主体には、前記主体の上表面を貫通する開溝が設けられ、
前記開溝は、対向する２つの側壁を備え、
前記第二リンク機構の２つの棒体は、それぞれ回転可能に前記２つの側壁の内側の一端と接続され、
前記第三リンク機構の２つの棒体は、それぞれ回転可能に前記２つの側壁の内側の別の一端と接続されることを特徴とする請求項８に記載のシャーシ。
【請求項１０】
各前記側壁の内側の中部には、１つの止め突起が突出されており、
前記各１つの止め突起の両側には、それぞれ１つの斜面が設けられ、
前記第一リンク機構及び前記第二リンク機構が折り畳まれる際、前記第二リンク機構の２つの棒体は回転して、前記第二リンク機構と隣接する前記２つの止め突起の斜面と接触し、前記第三リンク機構の２つの棒体は回転して、前記第三リンク機構と隣接する前記２つの止め突起の斜面と接触することを特徴とする請求項９に記載のシャーシ。
【請求項１１】
前記隔離板には、１つの固定部材が設置され、
前記固定部材は、平行に配置された２つの側板を備え、
前記第四リンク機構の２つの棒体は、それぞれ回転可能に前記２つの側板と接続されることを特徴とする請求項５に記載のシャーシ。
【請求項１２】
前記第四リンク機構の１つの棒体には、前記側板と対応するロック突起が設けられていることを特徴とする請求項１１に記載のシャーシ。
【請求項１３】
シャーシにおいて、
前記シャーシは、底板と、前記底板に設置された隔離板と、前記底板に対してスライドする支持部材と、折り畳まれ、且つケーブルを収容するリンク組と、を備え、
前記リンク組の一端は、回転可能に前記支持部材と接続され、前記リンク組の別一端は、回転可能に前記隔離板と接続されることを特徴とするシャーシ。
【発明の詳細な説明】
【技術分野】
【０００１】
本発明は、シャーシに関するものである。
【背景技術】
【０００２】
サーバのシャーシの内部には複数のハードディスク支持部材が設置され、ハードディスク支持部材の内部にはハードディスク及びコネクタが設置されている。ハードディスクは、コネクタと電気的に接続され、コネクタは、ケーブルによってバックボードと電気的に接続される。しかし、このケーブルは、無秩序に放置されているので、ハードディスク支持部材を引き出す際、ケーブルが互いに巻きついてしまうという問題があった。
【発明の概要】
【発明が解決しようとする課題】
【０００３】
以上の問題点に鑑みて、本発明は、ケーブルが整理されたシャーシを提供することを目的とする。
【課題を解決するための手段】
【０００４】
上記の課題を解決するために、本発明のシャーシは、底板と、前記底板に設置された隔離板と、前記底板に対してスライドする支持部材と、前記底板にスライド可能に接続されたスライド部材と、それぞれ前記スライド部材の両端に回転可能に接続され、且つケーブルを収容する第一リンク機構組及び第二リンク機構組と、を備える。前記第一リンク機構組の前記スライド部材から離隔している一端は、回転可能に前記支持部材と接続し、前記第二リンク機構組の前記スライド部材から離隔している一端は、回転可能に前記隔離板と接続する。
【０００５】
上記の課題を解決するために、本発明のシャーシは、底板と、前記底板に設置された隔離板と、前記底板に対してスライドする支持部材と、折り畳まれ、且つケーブルを収容するリンク組と、を備える。前記リンク組の一端は、回転可能に前記支持部材と接続され、前記リンク組の別一端は、回転可能に前記隔離板と接続される。
【発明の効果】
【０００６】
本発明のシャーシのリンク機構組は、ケーブルを収容し、且つ折り畳まれたり、伸び広がることができるので、支持部材を引き出す際に、ケーブルが互いに巻きつくことを防止し、ケーブルを整理できる。
【図面の簡単な説明】
【０００７】
【図１】本発明に係るシャーシの分解斜視図である。
【図２】図１に示したＩＩ部分の拡大図である。
【図３】図１に示したリンク機構の分解斜視図である。
【図４】図３に示したスライド部材の分解斜視図である。
【図５】図３に示した第一リンク機構を別の視角から見た斜視図である。
【図６】図１に示したシャーシの組み立て図である。
【図７】図６に示したシャーシの使用状態を示す図である。
【発明を実施するための形態】
【０００８】
以下、図面に基づいて、本発明のシャーシについて詳細に説明する。図１に示したように、シャーシ１００は、底板１０、支持部材２０及びリンク機構３０を備える。リンク機構３０は、第一リンク機構組３５、第二リンク機構組３６、スライド部材４０及び固定部材５０を備える。本実施形態において、第一リンク機構組３５は、第一リンク機構３１及び第二リンク機構３２を備え、第二リンク機構組３６は、第三リンク機構３３及び第四リンク機構３４を備える。
【０００９】
図２を併せて参照すると、底板１０には、該底板１０に対して垂直に設置されている隔離板１１と、隔離板１１の前方位置し、且つ隔離板１１に対して垂直となるように延在した導向板１２とが設置されている。隔離板１１には、導向板１２と対向して上下に２列に配列された挿入孔１１２と、該２列に配列された挿入孔１１２の間に位置する第一通孔１１３と、挿入孔１１２の上方に位置する第二通孔１１５とが設けられている。導向板１２は、底板１０に互いに平行に、且つ隔離して設置されたスライド壁１２２を備える。スライド壁１２２には、隔離板１１に対して垂直とされる方向に沿って延在し、且つスライド壁１２２の両端を貫通するスライド溝１２５が設けれている。
【００１０】
支持部材２０の内部には、コネクタ２１と、コネクタ２１に電気的に接続された電子部材２２（例えば、ハードディスク）とが設置されている。支持部材２０の後端には、装着板２３が設けられており、装着板２３の上表面には、装着板２３の両側から延出した回転棒２５が設置されている。
【００１１】
図３及び図５に示したように、第一リンク機構３１、第二リンク機構３２、第三リンク機構３３及び第四リンク機構３４の構造は同じであり、それぞれ対向する２つの棒体３０１を備える。各棒体３０１は、第一棒部３０２と、第一棒部３０２から対向する棒体３０１に向けて延在した曲がり部３０３と、曲り部３０３の末端から第一棒部３０２から離隔している方向に沿って延在した第二棒部３０５と、を備える。各対向する２つの棒体３０１の第一側同士の間には、複数の止め板３０７が設置されており、１つの棒体３０１の第二側（第一側と対向する側）には、別の棒部３０１に向けて垂直に延在した後、別の棒体３０１の第一側の方向に隣接して、傾斜して延在した複数のクリップ３０６が設けられている。各第一棒部３０２の第二棒部３０５から離隔している一端には、第三通孔３０８が設けられている。各対向する２つの第二棒部３０５の第一棒部３０２から離隔している一端同士の間には、接続棒３０９が設けられており、接続棒３０９は、軸線に沿って、２つの第二棒部３０５のロック孔３０９１を通過する。１つの棒体３０１の第二側には、クリップ３０６と第三通孔３０８との間に位置するＬ字状で、且つ第三通孔３０８に向けて湾曲しているロック突起３０４が設けられている。
【００１２】
図４に示したように、スライド部材４０は、主体４１と、主体４１の下方に位置するスライド板４２と、主体４１とスライド板４２とを接続する連続部４３とを備える。主体４１には、主体４１の上表面及び両端を貫通する開溝４５が設けられている。開溝４５は、底壁４５１及び対向する２つの側壁４５２を備える。底壁４５１の両端には、それぞれ１つの突起４５４が設けられ、各突起４５４の上部には、底壁４５１の中央部に向けて徐々に低くなっている傾斜面４５３が設けられている。各１つの側壁４５２の内側の中央部には、１つの止め突起４５５が突出されている。各１つの止め突起４５５の両側には、それぞれ１つの斜面４５５２が設けられている。各１つの側壁４５２には、止め突起４５５の両側の位置に貫通孔４５６がそれぞれ設けられている。
【００１３】
図３に示したように、固定部材５０は、接続板５１と、接続板５１の両端から延在した２つの側板５２とを備える。接続板５１には、第一固定孔５１１が設けられている。接続板５１の上表面及び底部には、側板５２から離隔している方向に向けてそれぞれ１つの挿入突起５１２が延在している。各１つの側板５２には、１つの第二固定孔５２２が設けられている。
【００１４】
図１、図３、図４及び図６に示したように、シャーシ１００を組み立てる際、第一リンク機構３１の２つの第二棒部３０５を、第二リンク機構３２の２つの第一棒部３０２同士の間に設置する。次いで、２つのネジ１０１をそれぞれ第二リンク機構３２の２つの第三通孔３０８に貫通させた後、第一リンク機構３１のロック孔３０９１をロックする。これにより、第一リンク機構３１は、回転可能に第二リンク機構３２に接続され、第二リンク機構３２の２つの第二棒部３０５は、スライド部材４０の開溝４５の内部に設置される。次いで、２つのネジ１０２をスライド部材４０の対向する２つの貫通孔４５６に貫通させた後、第二リンク機構３２のロック孔３０９１をロックする。これにより、第二リンク機構３２はスライド部材４０に回転可能に設置され、第三リンク機構３３の２つの第二棒部３０５は、スライド部材４０の開溝４５の内部に設置される。次いで、２つのネジ１０３をスライド部材４０の対向する別の２つの貫通孔４５６に貫通させた後、第三リンク機構３３のロック孔３０９１をロックする。これにより、第二リンク機構３２はスライド部材４０に回転可能に設置され、第四リンク機構３４の２つの第二棒部３０５は、第三リンク機構３３の２つの第一棒部３０２同士の間に設置される。次いで、２つのネジ１０４を、それぞれ第三リンク機構３３の２つの第三通孔３０８に貫通させた後、第四リンク機構３４のロック孔３０９１にロックする。これにより、第四リンク機構３４は第三リンク機構３３に回転可能に設置され、固定部材５０の２つの側板５２は、第四リンク機構３４の２つの第一棒部３０２同士の間に設置される。次に、２つのネジ１０５をそれぞれ第四リンク機構３４の別の２つの第三通孔３０８に貫通させた後、第二固定孔５２２にロックする。これにより、第四リンク機構３４は固定部材５０に回転可能に設置される。次いで、第一リンク機構３１の２つの第一棒部３０２の第三通孔３０８が設けられている一端を互いに反対方向に引っ張った後、支持部材２０の回転棒２５に移動させて、回転棒２５を第一棒部３０２の２つの第三通孔３０８の間に配置させる。次に、第一リンク機構３１の第一棒部３０２を解放して、回転棒２５を２つの第三通孔３０８に挿し込んで、第一リンク機構３１を回転可能に支持部材２０の装着板２３に設置する。第一リンク機構３１のクリップ３０６が設けられている一側は、支持部材２０と対向し、第二リンク機構３２のクリップ３０６が設けられている一側は、スライド部材４０と対向し、第三リンク機構３３のクリップ３０６が設けられている一側は、スライド部材４０と対向し、第四リンク機構３４のクリップ３０６が設けられている一側は、固定部材５０と対向する。
【００１５】
次に、固定部材５０をスライド部材４０の後方に配置させ、固定部材５０をスライド壁１２２に設置する。この時、スライド部材４０のスライド板４２は、底板１０の前端からスライド壁１２２と底板１０との間に挿し込まれ、スライド部材４０の連続部４３は、スライド溝１２５に挿し込まれ、スライド部材４０の主体４１は、スライド壁１２２の上方に支持される。次に、支持部材２０を後方向に押して、スライド部材４０、固定部材５０及びスライド壁１２２が後方向に向けてスライドし、第一リンク機構３１を回転させて、第一リンク機構３１の２つの曲り部３０３は、それぞれ第二リンク機構３２の２つの第一棒部３０２と接続して、第一リンク機構組３５は折り畳まれる。この時、第二リンク機構３２の２つの第二棒部３０５は回転して、それぞれ２つの止め突起４５５の前側の斜面４５５２と接触し、第三リンク機構３３の２つの第二棒部３０５は回転して、それぞれ２つの止め突起４５５の後側の斜面４５５２と接触する。また、第四リンク機構３４は回転して、第四リンク機構３４の曲り部３０３が、それぞれ第三リンク機構３３の２つの第一棒部３０２と接触して、第二リンク機構組３６が折り畳まれる。第四リンク機構３４のロック突起３０４は、固定部材５０の対応する側板５２の上表面とロックされる。固定部材５０の接続板５１は、隔離板１１と接触し、且つ固定部材５０の２つの挿入突起５１２が、隔離板１１の２つの挿入突起５１２に挿し込まれる。次に、１つのネジ１０８を隔離板１１の第一通孔１１３に貫通させた後、固定部材５０の第一固定孔５１１にロックする。これにより、固定部材５０が隔離板１１に固定される。ケーブル２００の第一端は、コネクタ１３と電気的に接続された後、クリップ３０６を引っ張って、ケーブル２００は順に第一リンク機構３１、第二リンク機構３２、第三リンク機構３３及び第四リンク機構３４を通過する。クリップ３０６を解放すると、ケーブル２００が、第一リンク機構３１、第二リンク機構３２、第三リンク機構３３及び第四リンク機構３４のクリップ３０６と止め板３０７との間に挟まれる。ケーブル２００の第二端は、隔離板１１の第二通孔１１５を通過した後、バックボード等の電子部材に接続される。
【００１６】
図７に示したように、支持部材２０を外部に引き出す際、第一リンク機構３１を第二リンク機構３２に対して移動させる。この時、第二リンク機構３２はスライド部材４０を引き出して、スライド部材４０はスライド壁１２２に沿って前方に向かってスライドし、第三リンク機構３３は第四リンク機構３４に対して移動する。第二リンク機構３２は回転して、スライド部材４０の前側の斜面４５３と接触すると、支持部材２０は最大の移動距離で引き出される。スライド部材４０には、２つの斜面４５３が設けられているため、支持部材２０及びスライド部材４０がスライドすると、第一リンク機構３１、第二リンク機構３２、第三リンク機構３３及び第四リンク機構３４の互いの間は、１つの直線を形成しないので、支持部材２０の駆動によって、第一リンク機構３１、第二リンク機構３２、第三リンク機構３３及び第四リンク機構３４が回転できないことを防止する。
【００１７】
シャーシ１００において、支持部材２０のコネクタ２１とバックボードとに接続されるケーブル２００は、第一リンク機構３１、第二リンク機構３２、第三リンク機構３３及び第四リンク機構３４の内部に整理されて収容されるので、ケーブル２００が無秩序に放置されることを防止することができる。
【００１８】
他の実施形態において、固定部材５０は、隔離板１１に固定された後、第四リンク機構３４は回転可能に固定部材５０に固定される。
【００１９】
他の実施形態において、第二リンク機構組３６及びスライド部材４０を省略しても良いが、この時、第二リンク機構３１は、回転可能に支持部材２０に接続され、第二リンク機構３２は、回転可能に固定部材５０に接続される。
【符号の説明】
【００２０】
１００  シャーシ
１０  底板
１１  隔離板
１１２  挿入孔
１１３  第一通孔
１１５  第二通孔
１２  導向板
１２２  スライド壁
１２５  スライド溝
２０  支持部材
２１  コネクタ
２２  電子部材
２３  装着板
２５  回転棒
３０  リンク機構
１０１、１０２、１０３、１０４、１０５  ネジ
２００  ケーブル
３０１  棒体
３０２  第一棒部
３０３  曲がり部
３０４  ロック突起
３０５  第二棒部
３０６  クリップ
３０７  止め板
３０８  第三通孔
３０９  接続棒
３０９１  ロック孔
３１  第一リンク機構
３２  第二リンク機構
３３  第三リンク機構
３４  第四リンク機構
３５  第一リンク機構組
３６  第二リンク機構組
４０  スライド部材
４１  主体
４２  スライド板
４３  連続部
４５  開溝
４５１  底壁
４５２  側壁
４５４  突起
４５３  傾斜面
４５５  止め突起
４５５２  斜面
４５６  貫通孔
５０  固定部材
５１  接続板
５１１  第一固定孔
５１２  挿入突起
５２  側板
５２２  第二固定孔
【図１】
2014154879.tif 000003
【図２】
2014154879.tif 000004
【図３】
2014154879.tif 000005
【図４】
2014154879.tif 000006
【図５】
2014154879.tif 000007
【図６】
2014154879.tif 000008
【図７】
2014154879.tif 000009